(57)【要約】【課題】既設のコンクリート構造物に形成された削孔穴への充填材の充填を高品質に行うことを可能とした、充填材の充填方法および栓部材を提供する。【解決手段】既設のコンクリート部材１に形成された有底の削孔穴２に充填材３の充填を行う工程と、充填材３が充填された削孔穴２に栓部材５を押し込む工程とを備える充填材の充填方法であって、栓部材５が、先端部の直径が削孔穴２の内径よりも小さく、基端部の直径が削孔穴２の内径よりも大きく形成された円錐台状の部材からなり、該栓部材５を所定長削孔穴２内に押し込むことにより削孔穴２の孔口を密閉する。【選択図】図１
2010007247.tif 000002
【特許請求の範囲】
【請求項１】
既設のコンクリート構造物に形成された削孔穴に充填材の充填を行う工程と、
前記充填材が充填された削孔穴に栓部材を押し込む工程と、を備える充填材の充填方法であって、
前記栓部材が、先端部の直径が前記削孔穴の内径よりも小さく、基端部の直径が前記削孔穴の内径よりも大きく形成された円錐台状の部材からなり、該栓部材を所定長削孔穴内に押し込むことにより削孔穴の孔口を密閉することを特徴とする、充填材の充填方法。
【請求項２】
既設のコンクリート構造物に形成された削孔穴に充填材の充填を行うとともにせん断補強部材を挿入する工程と、
前記充填材が充填された削孔穴に栓部材を押し込む工程と、を備える充填材の充填方法であって、
前記栓部材が、先端部の直径が前記削孔穴の内径よりも小さく、基端部の直径が前記削孔穴の内径よりも大きく形成された円錐台状の部材からなり、該栓部材を所定長削孔穴内に押し込むことにより前記せん断補強部材を抑えるとともに削孔穴の孔口を密閉することを特徴とする、充填材の充填方法。
【請求項３】
前記栓部材に貫通孔が形成されており、
前記栓部材を押し込む工程において、前記充填材が前記貫通孔から流出するまで前記栓部材を押し込むことを特徴とする、請求項１または請求項２に記載の充填材の充填方法。
【請求項４】
充填材が充填された削孔穴に押し込まれる栓部材であって、
先端部の直径が前記削孔穴の内径よりも小さく、基端部の直径が前記削孔穴の内径よりも大きく形成された円錐台状の栓本体と、
前記栓本体に形成されて、基端部側に開口するストッパ穴と、
前記ストッパ穴に挿入されて前記栓本体の基端部側を拡径させるストッパ部材と、を備えることを特徴とする、栓部材。
【請求項５】
充填材が充填された削孔穴に押し込まれる栓部材であって、
先端部の直径が前記削孔穴の内径よりも小さく、基端部の直径が前記削孔穴の内径よりも大きく形成された円錐台状の栓本体と、
前記栓本体の先端から基端方向に貫通する貫通孔と、
前記貫通孔に挿入されて該貫通孔を遮蔽するグラウトストッパと、を備えることを特徴とする、栓部材。
【請求項６】
充填材が充填された削孔穴に押し込まれる栓部材であって、
先端部の直径が前記削孔穴の内径よりも小さく、基端部の直径が前記削孔穴の内径よりも大きく形成された円錐台状の栓本体と、
前記栓本体に形成されて、基端部側に開口するストッパ穴と、
前記ストッパ穴に挿入されて前記栓本体の基端部側を拡径させるストッパ部材と、
前記栓本体の先端から基端方向に貫通する貫通孔と、
前記貫通孔に挿入されて該貫通孔を遮蔽するグラウトストッパと、を備えることを特徴とする、栓部材。
【請求項７】
前記栓本体の周面に不陸調整材が設置されていることを特徴とする、請求項４乃至請求項６のいずれか１項に記載の栓部材。
【請求項８】
前記栓本体の先端面に突起部材が形成されていることを特徴とする、請求項４乃至請求項７のいずれか１項に記載の栓部材。
【発明の詳細な説明】
【技術分野】
【０００１】
本発明は、既設のコンクリート構造物に形成された削孔穴への充填材の充填方法およびこの充填方法に使用する栓部材に関する。
【背景技術】
【０００２】
既設のコンクリート構造物の耐震補強方法として、後施工によりせん断補強鉄筋を施工する場合がある。このようなせん断補強鉄筋の施工は、コンクリート構造物に補強部材挿入孔の削孔を行い、この補強部材挿入孔内にせん断補強鉄筋を配設するとともに補強部材挿入孔に充填材を充填することにより行う。
【０００３】
このような、耐震補強方法において、補強部材挿入孔内に充填された充填材が、充填後に補強部材挿入孔の孔口から流れ出すことにより、充填材と補強部材挿入孔の孔壁との間に隙間が生じる場合がある。孔壁と充填材との間に隙間があると、この隙間が水みちとなって、構造物内に地下水等が浸透してしまうという問題点を有していた。
【０００４】
そのため、従来は、例えば特許文献１や特許文献２に示すように、補強部材挿入孔の孔口を押え板や蓋等により塞ぐことで、充填材のダレが生じることを防止していた。
【特許文献１】特開２００４−２９３２９４号公報（段落番号［００４２］、図６）
【特許文献２】特開２００３−１１３６７３号公報（段落番号［００１５］、図３）
【発明の開示】
【発明が解決しようとする課題】
【０００５】
ところが、前記従来の施工方法では、充填材の補強部材挿入孔からの流出を防止することができるものの、圧力を負荷した状態で充填材を孔内に詰め込む効果を得ることはできないため、充填材が緩んだ状態で孔内に充填される場合がある。
このように、緩んだ状態で充填材が充填されると、充填材と孔壁との間に隙間が生じるおそれがあった。
【０００６】
このような問題は、既設構造物のせん断補強のみならず、例えば、コアボーリングの削孔後の処理など、あらゆる既設のコンクリート構造物の削孔穴の充填において生じていた。
【０００７】
本発明は、前記の問題点を解決するためになされたものであり、既設のコンクリート構造物に形成された削孔穴への充填材の充填を高品質に行うことを可能とした、充填材の充填方法および栓部材を提供することを課題とする。
【課題を解決するための手段】
【０００８】
前記課題を解決するために、請求項１に記載の発明は、既設のコンクリート構造物に形成された削孔穴に充填材の充填を行う工程と、前記充填材が充填された削孔穴に栓部材を押し込む工程と、を備えており、前記栓部材が、先端部の直径が前記削孔穴の内径よりも小さく、基端部の直径が前記削孔穴の内径よりも大きく形成された円錐台状の部材からなり、該栓部材を所定長削孔穴内に押し込むことにより削孔穴の孔口を密閉することを特徴としている。
【０００９】
また、請求項２に記載の発明は、既設のコンクリート構造物に形成された削孔穴に充填材の充填を行うとともにせん断補強部材を挿入する工程と、前記充填材が充填された削孔穴に栓部材を押し込む工程と、を備える充填材の充填方法であって、前記栓部材が、先端部の直径が前記削孔穴の内径よりも小さく、基端部の直径が前記削孔穴の内径よりも大きく形成された円錐台状の部材からなり、該栓部材を所定長削孔穴内に押し込むことにより前記せん断補強部材を押さえるとともに削孔穴の孔口を密閉することを特徴としている。
【００１０】
かかる充填材の充填方法によれば、充填材が充填された削孔穴に、栓部材を押し込むことにより、削孔穴を遮蔽して充填材のダレを防止するとともに、充填材に圧力を負荷した状態で充填材を孔内に詰め込むことが可能となる。そのため、削孔穴内への充填材の充填を高品質に行うことが可能となる。
【００１１】
請求項３に記載の発明は、請求項１または請求項２に記載の充填材の充填方法において、前記栓部材に貫通孔が形成されており、前記栓部材を押し込む工程において、前記充填材が前記貫通孔から流出するまで前記栓部材を押し込むことを特徴としている。
【００１２】
かかる充填材の充填方法によれば、削孔穴内への充填材の充填をより高品質に行うことが可能となる。
【００１３】
請求項４に記載の発明は、充填材が充填された削孔穴に押し込まれる栓部材であって、先端部の直径が前記削孔穴の内径よりも小さく、基端部の直径が前記削孔穴の内径よりも大きく形成された円錐台状の栓本体と、前記栓本体に形成されて、基端部側に開口するストッパ穴と、前記ストッパ穴に挿入されて前記栓本体の基端部側を拡径させるストッパ部材と、を備えることを特徴としている。
【００１４】
かかる栓部材によれば、充填材が充填された削孔穴に押し込まれることにより、削孔穴を遮蔽して充填材のダレを防止するとともに、充填材に圧力を負荷して孔内に押し込むことで、充填材の充填を高品質に行うことが可能となる。また、栓本体の基端側をストッパ部材により拡径することができるので、削孔穴にしっかりと固定することができる。
【００１５】
また、請求項５に記載の発明は、充填材が充填された削孔穴に押し込まれる栓部材であって、先端部の直径が前記削孔穴の内径よりも小さく、基端部の直径が前記削孔穴の内径よりも大きく形成された円錐台状の栓本体と、前記栓本体の先端から基端方向に貫通する貫通孔と、前記貫通孔に挿入されて該貫通孔を遮蔽するグラウトストッパと、を備えることを特徴としている。
【００１６】
かかる栓部材によれば、充填材が充填された削孔穴に押し込まれることにより、削孔穴を遮蔽して充填材のダレを防止するとともに、充填材に圧力を負荷して孔内に押し込むことで、充填材の充填を高品質に行うことが可能となる。また、貫通孔からの不要な充填材の流出を確認することができるので、より高品質に充填材の充填を行うことが可能となる。
【００１７】
また、請求項６に記載の発明は、充填材が充填された削孔穴に押し込まれる栓部材であって、先端部の直径が前記削孔穴の内径よりも小さく、基端部の直径が前記削孔穴の内径よりも大きく形成された円錐台状の栓本体と、前記栓本体に形成されて、基端部側に開口するストッパ穴と、前記ストッパ穴に挿入されて前記栓本体の基端部側を拡径させるストッパ部材と、前記栓本体の先端から基端方向に貫通する貫通孔と、前記貫通孔に挿入されて該貫通孔を遮蔽するグラウトストッパと、を備えることを特徴としている。
【００１８】
かかる栓部材によれば、充填材が充填された削孔穴に押し込まれることにより、削孔穴を遮蔽して充填材のダレを防止するとともに、充填材に圧力を負荷して孔内に押し込むことで、充填材の充填を高品質に行うことが可能となる。また、栓本体の基端側をストッパ部材により拡径することができるので、削孔穴にしっかりと固定することができるとともに、貫通孔からの不要な充填材の流出を確認することができるので、より高品質に充填材の充填を行うことが可能となる。
【００１９】
なお、前記栓部材の栓本体の周面に不陸調整材が設置されていれば、孔壁に不陸があっても、栓部材と削孔穴との密着度を高めることができる。
【００２０】
また、前記栓本体の先端面に突起部材が形成されていれば、削孔穴内にせん断補強部材を挿入する場合に、せん断補強部材を押さえることが可能となる。
【発明の効果】
【００２１】
本発明の充填材の充填方法および栓部材によれば、既設のコンクリート構造物に形成された削孔穴への充填材の充填を高品質に行うことが可能となる。
【発明を実施するための最良の形態】
【００２２】
本発明の補強方法の好適な実施の形態について、図面を参照して詳細に説明する。なお、以下の説明において、同一要素には同一の符号を用い、重複する説明は省略する。
【００２３】
本実施形態では、図１に示すように、既設のコンクリート部材１に後施工によりせん断補強部材４を配設すること構成される補強構造Ａを構築する場合において、本発明に係る充填材の充填方法および栓部材５を使用する場合について説明する。
【００２４】
補強構造Ａは、既設のコンクリート部材１と、既設のコンクリート部材１に形成された有底の削孔穴２と、削孔穴２に充填された充填材３と、削孔穴２に挿入されたせん断補強部材４と、削孔穴２を遮蔽する栓部材５と、により構成されている。
【００２５】
本実施形態に係る既設のコンクリート部材１は、鉄筋コンクリートからなる壁部材であるが、既設のコンクリート部材１の構成は限定されるものではない。
【００２６】
削孔穴２は、既設のコンクリート部材１の表面（一面）１ａから裏面（他面）１ｂに向かって穿孔することにより形成されており、本実施形態では、表面１ａに略垂直な方向に、インパクトドリル、ロータリハンマドリルやコアドリルなどの穿孔手段により形成する。この削孔穴２は、裏面１ｂ側に所定寸法の被りコンクリート厚さを確保して形成されている。また、削孔穴２は、せん断補強部材４の先端部に形成された先端定着部材４２の直径（幅寸法）に若干の余裕を見込んだ孔径からなる一般部２１と、既設コンクリート部材１の表面１ａ側において、せん断補強部材４の基端部（末端部）に取り付けられている基端定着部材４３の直径（幅寸法）に若干の余裕を見込んだ孔径からなる拡径部２２と、を備えて形成されている。なお、削孔穴２の形状寸法や、配置等は限定されるものではなく、適宜設定することが可能である。
【００２７】
充填材３は、グラウトやモルタル等の材料からなり、削孔穴２に充填され、硬化することで、所定の強度を発現する。なお、充填材３として使用される材料は限定されるものではなく、例えば繊維補強コンクリート等、適宜公知の材料の中から選定して使用することが可能である。
【００２８】
せん断補強部材４は、せん断補強鉄筋４１と、せん断補強鉄筋４１の先端部及び基端部に設けられている当該せん断補強鉄筋４１より断面形状が大きい先端定着部材４２及び基端定着部材４３と、から構成されている。なお、本実施形態では、せん断補強部材４として、軸部にせん断補強鉄筋４１を使用する場合について説明するが、せん断補強部材４を構成する材料は限定されるものではなく、例えば、軸部として各種鋼棒、ネジ鉄筋、異形鉄筋、ＰＣ鋼線等、適宜公知の材料を使用することが可能である。
【００２９】
せん断補強部材４は、裏面１ｂ側に先端定着部材４２が位置するように、削孔穴２に挿入される。せん断補強部材４を削孔穴２に挿入すると、基端定着部材４３が拡幅部２２に配置される。
本実施形態では、せん断補強部材４が削孔穴２に挿入された状態で、先端定着部材４２および基端定着部材４３のそれぞれが既設のコンクリート部材１の鉄筋と同等のコンクリート被り厚さが確保されている。
【００３０】
本実施形態では、先端定着部材４２および基端定着部材４３として、鋼製プレートをせん断補強鉄筋４１の先端に固定するものとするが、先端定着部材４２および基端定着部材４３の構成は限定されるものではない。また、先端定着部材４２および基端定着部材４３の形状は限定されるものではなく、例えば、円形、楕円形、小判型、正方形、矩形、その他の多角形等、適宜設定することが可能である。先端定着部材４２および基端定着部材４３を構成する材料およびせん断補強鉄筋４１への固定方法は限定されるものではなく、適宜設定することが可能である。
【００３１】
ここで、両端部の先端定着部材４２と基端定着部材４３の組み合わせは、補強を行う既設のコンクリート部材１の配筋状態、コンクリート強度、壁厚などの要因にあわせて自由に選択することができる。
【００３２】
栓部材５は、ゴム製の部材であって、図１および図２に示すように、先端部の直径が削孔穴２の拡径部２２の内径よりも小さく、基端部の直径が拡径部２２の内径よりも大きく形成された円錐台状の栓本体５１と、栓本体５１に形成されて、基端部側に開口するストッパ穴５２と、ストッパ穴５２に挿入されて栓本体５１の基端部側を拡径させるストッパ部材５３と、栓本体５１の先端から基端方向に貫通する貫通孔５４と、貫通孔５４に挿入されて貫通孔５４を遮蔽するグラウトストッパ５５と、を備えて構成されている。
【００３３】
また、栓本体５１の先端面には、図３（ａ）に示すように、せん断補強部材４を押さえるための突起部材５６が形成されている。さらに、栓本体５１の周面に不陸調整材（図示省略）が設置されていてもよい。
【００３４】
ストッパ部材５３は、先端側（既設のコンクリート部材１の裏面１ｂ側）の直径がストッパ穴５２の内径よりも小さく、基端側の直径がストッパ穴５２の内径よりも大きく形成された円錐台状に形成されている。ストッパ部材５３をストッパ穴５２に押し込むことにより、栓本体５１の基端側が拡径し、栓部材５の削孔穴２への固定度が増す。
なお、ストッパ部材５３を構成する材料は、例えば木材やプラスチック等の樹脂材により構成するなど、適宜公知の材料から選定して構成すればよい。
【００３５】
図２および図３に示すように、栓本体５１（貫通孔５４）の先端部の上部は斜めにカットされている。この栓部材５を削孔穴２に挿入すると、栓本体５１に形成された斜めの面により充填材３に上向きの圧力が付与されるため、削孔穴２の上部にも充填材３が十分に充填される。
【００３６】
グラウトストッパ５５は、先端側（既設のコンクリート部材１の裏面１ｂ側）の直径が貫通孔５４の内径よりも小さく、基端側の直径が貫通孔５４の内径よりも大きくまたは同形状に形成された円錐台状に形成されている。グラウトストッパ５５を貫通孔５４に挿入することにより、貫通孔５４が遮蔽される。
なお、グラウトストッパ５５を構成する材料は、例えば木材やプラスチック等の樹脂材により構成するなど、適宜公知の材料から選定して構成すればよい。
【００３７】
補強構造Ａは、既設のコンクリート部材１に削孔穴２を穿孔する穿孔工程と、既設のコンクリート構造物１に形成された有底の削孔穴２に充填材３の充填を行うとともにせん断補強部材４を挿入する充填工程と、充填材３が充填された削孔穴２に栓部材５を押し込む押込工程と、充填材２を養生する養生工程と、を備える施工方法により構築する。
【００３８】
（１）穿孔工程
穿孔工程は、図４（ａ）に示すように、既設のコンクリート部材１の表面（一面側）１ａから裏面（他面側）１ｂに向けて、せん断補強部材４を設置するための削孔穴２を形成する工程である。
【００３９】
削孔穴２の穿孔は、まず、既設のコンクリート部材１の表面（一面）１ａから裏面（他面）１ｂに向かって、せん断補強部材４の先端部に形成された先端定着部材４２の直径（幅寸法）に若干の余裕を見込んだ孔径からなる一般部２１の穿孔を行う。一般部２１の穿孔は、既設のコンクリート部材１の表面１ａに略垂直な方向に、穿孔手段を介して裏面１ｂ側に所定のコンクリート被りが確保できる深さまで行う。
【００４０】
次に、穿孔手段を用いて削孔穴２の基端側（表面１ａ側）の削孔径の拡幅を行い、拡幅部２２を形成する。
そして、削孔穴２の拡幅部２２の穿孔が完了したら、削孔穴２に穿孔のために生じたコンクリート粉を除去する。
【００４１】
（２）充填工程
充填工程は、図４（ｂ）に示すように、穿孔工程において形成された削孔穴２に、充填材３の充填およびせん断補強部材４の挿入を行う工程である。
本実施形態では、削孔穴２に充填材３を充填した後、せん断補強部材４をこの削孔穴２に挿入するものとするが、この順序は限定されるものではなく、せん断補強部材４を削孔穴２に挿入してから充填材３を充填してもよい。また、このとき、せん断補強部材４の基端定着部材４３を、拡幅部２２に係止させてもよい。
【００４２】
（３）押込工程
押込工程は、図４（ｃ）に示すように、充填材３およびせん断補強部材４により内部が充填された削孔穴２に栓部材５を押し込む工程である。
栓部材５を押し込むことにより、充填材３を削孔穴２内に所定の圧力を付与した状態で押し込むとともに、栓部材５の先端に形成された突起部材５６によりせん断補強部材４を押さえる。
【００４３】
栓部材５を押し込むことにより、貫通孔５４を通じて、充填材３が排出される。なお、栓部材５は、貫通孔５４が上方に位置するように削孔穴２内に押し込むとよい。このようにすると、貫通孔５４から充填材３が排出されることを確認することで、削孔穴２の上部まで充填材３が充填されたことを確認できる。
【００４４】
栓部材５を所定の深さまで押し込んだら、図４（ｄ）に示すように、貫通孔５４にグラウトストッパ５５を挿入し、貫通孔５４を遮蔽する。
また、ストッパ穴５２に、ストッパ部材５３を押し込むことで、栓部材５の基端側を拡径させて、削孔穴２の孔口に栓部材５を固定する。
【００４５】
栓部材５は、ストッパ部材５３により、削孔穴２の孔口に強固に固定されているため、充填材２として、膨張性を有する材料を使用した場合であっても、削孔穴２から抜け出すことが防止される。また、栓部材５により、削孔穴２から充填材３が流出することが防止されるとともに、充填材３に圧力が付与されるため充填材３が削孔穴２内に密実に充填される。
【００４６】
また、栓部材５の周面には、図示しない不陸調整材が設置されているため、削孔穴２の孔口の周面（孔壁）や、既設のコンクリート部材１の表面１ａなどに、不陸があったとしても、不陸調整材により、密着度を高めることが可能となる。
なお、不陸調整材として、透水性を有した材料を使用すれば、不陸調整材が目詰まりするまでは、不要な充填材３が不陸調整材を通して排出されることが可能となる。
【００４７】
（４）養生工程
養生工程は、削孔穴２に栓部材５が挿入された状態で、削孔穴２内の充填材３が所望の強度を発現するまで養生する工程である。
充填材３が硬化した後、栓部材５を残置することが困難な施工条件の場合には、ストッパ部材５３を引き抜き、栓部材５を削孔穴２から取り外す。
【００４８】
以上、本実施形態に係る充填材の充填方法および栓部材によれば、補強構造Ａの構築時に、充填材３の充填を高品質に行うことが可能となり、より優れた性能からなる補強構造Ａを構築することができる。
【００４９】
また、栓部材５が貫通孔５４を備えていることにより、充填材３の充填をより高品質に行うことができる。また、充填材３の充填が高品質に行われることで、漏水の発生を未然に防ぐことが可能となる。
また、充填材３は、栓部材５を押し込むことにより圧力が負荷されるため、削孔穴２内に密実に充填される。
【００５０】
また、ストッパ部材５３により、栓部材５の固定をより確実に行うことができるため、充填材３として膨張性を有したものを使用する場合でも、栓部材５の移動・脱落を防ぐことができる。栓部材５を移動不能とした状態で充填材３が体積膨張すれば、削孔穴４内の充填性をより高品質に行うことができる。
また、栓部材５の外周面に、不陸調整材が設置されていることで、既設のコンクリート部材１に不陸があったとしても、所望の密着度を確保することができる。
【００５１】
既設のコンクリート部材１は、補強構造Ａにより、コンクリート厚さを増加させることなく、直接的にせん断補強部材４を埋設することにより、せん断耐力と靱性性能の増大を効率的に実現できる。加えて、主鉄筋を増加させることがないことから、曲げ耐力を増加させることなく、面外せん断耐力を向上させることができるので、せん断先行破壊型の可能性がある鉄筋コンクリート構造物を曲げ先行破壊型に移行することができる。
【００５２】
また、既設のコンクリート部材１は、補強構造Ａにより、面外のせん断力が作用した時に発生する斜めひび割れに対して、直接的にせん断補強部材４を介してせん断耐力が向上されている。つまり、面外のせん断力が作用すると斜めひび割れが発生しようとするが、せん断補強部材４に引張力が働くために、両端部の先端定着部材４２や基端定着部材４３に引き抜き力が作用する。このために、先端定着部材４２及び基端定着部材４３の内側にあるコンクリート（以下「内部コンクリート」という）には、その反力として内部コンクリートに支圧力が作用して、圧縮応力の場が形成される。つまり、内部コンクリートは横拘束を受けて、斜め引張に対して、抵抗力を増大する結果となる。このために、端部にそれぞれ先端定着部材４２と基端定着部材４３の付いたせん断補強部材４により既設のコンクリート部材１の面外せん断耐力が増大するとともに、内部コンクリートに圧縮応力が発生する（圧縮応力場が形成される）ことによる靱性性能の増大も図られることになる。
【００５３】
以上、本発明について、好適な実施形態について説明した。しかし、本発明は、前述の各実施形態に限られず、前記の各構成要素については、本発明の趣旨を逸脱しない範囲で、適宜設計変更が可能であることは言うまでもない。
特に、本発明の対象となるコンクリート構造物（コンクリート部材１）は限定されるものではなく、あらゆるコンクリート構造物に適用可能である。
【００５４】
また、補強対象である既設のコンクリート部材１は、コンクリート造であればよく、鉄筋コンクリート部材や無筋コンクリート部材、現場打ち鉄筋コンクリート構造体やプレキャストコンクリート構造体等その種類は問わないとともに、補強を行う部位についても限定されず、例えば、天井スラブや底版等にも適用可能である。
【００５５】
前記実施形態では、栓部材５として、栓本体５１にストッパ穴５２と貫通孔５４が形成されていて、ストッパ穴５２および貫通孔５４にそれぞれストッパ部材５３およびグラウトストッパ５５が挿入されたものを使用する場合について説明したが、栓部材５の構成は前記のものに限定されるものではなく、適宜設定することが可能である。
例えば、図５（ａ）に示すように、ストッパ穴５２が省略され、栓本体５１に貫通孔５４のみが形成されており、貫通孔５４にグラウトストッパ５５が挿入された栓部材５ａを使用してもよい。栓部材５ａによれば、貫通孔５４により充填材３の充填を確認することが可能であるとともに、グラウトストッパ５５を貫通孔５４に挿入することで、栓本体５１の基端部の拡径を行い、ストッパ部材と同様の機能を期待することができる。
【００５６】
また、図５（ｂ）に示す栓部材５ｂのように、栓本体５１がストッパ穴５２のみを備え、貫通孔５４を省略したものであってもよい。
また、図５（ｃ）に示す栓部材５ｃのように、ストッパ穴５２およびストッパ部材５３と貫通孔５４およびグラウトストッパ５５を省略したものであってよい。
【００５７】
また、前記実施形態では、栓部材５の先端に突起部材５６を形成し、突起部材５６によりせん断補強部材４を押さえるものとしたが、図５（ｄ）に示すように、栓部材５の先端面で直接せん断補強部材４を押さえる構成としてもよい。
【００５８】
せん断補強部材４の先端定着部材４２および基端定着部材４３は必要に応じて形成されていればよく、省略してもよい。
また、せん断補強部材４は必要に応じて配置すればよく、省略してもよい（図６参照）。
【００５９】
また、削孔穴２の拡幅部２２も必要に応じて形成すればよく、省略することが可能である（図６参照）。
また、栓部材５は、既設のコンクリート部材１から突出することなく、削孔穴２内に挿入されていてもよい（図６参照）。
【００６０】
また、せん断補強部材４の挿入間隔・挿入数は、前記実施形態に限られず、適宜に定めることができる。
【００６１】
また、前記実施形態では、鉄筋コンクリート構造物のせん断補強方法について説明したが、例えば、コアボーリング等の削孔穴が形成されたコンクリート構造物の復旧作業において、本願発明の充填材の充填方法を採用してもよい。これにより、削孔穴と充填材との接合面が水みちとなることがなく、止水性の優れたコンクリート構造物が提供される。
【００６２】
また、前記実施形態では、有底の削孔穴に対して充填材を充填する場合について説明したが、貫通孔に対して、本発明にかかる充填材の充填方法および栓部材を採用してもよい。この場合には、貫通孔の両側に栓部材を配置すればよい。
【図面の簡単な説明】
【００６３】
【図１】本発明の好適な実施の形態に係る補強構造を示す断面図である。
【図２】本発明の好適な実施の形態に係る栓部材を示す斜視図である。
【図３】図２に示す栓部材を示す図であって、（ａ）は栓部材の先端から臨む正面図、（ｂ）は栓部材の基端から臨む背面図である。
【図４】（ａ）〜（ｄ）は本発明の好適な実施の形態にかかる充填材の充填方法の各作業手順を示す断面図である。
【図５】（ａ）〜（ｄ）は図２に示す栓部材の変形例を示す断面図である。
【図６】図１に示す補強構造の変形例を示す断面図である。
【符号の説明】
【００６４】
１    既設のコンクリート部材
２    削孔穴
３    充填材
４    せん断補強部材
５    栓部材
５１  栓本体
５２  ストッパ穴
５３  ストッパ部材
５４  貫通孔
５５  グラウトストッパ
５６  突起部材
Ａ    補強構造
【図１】
2010007247.tif 000003
【図２】
2010007247.tif 000004
【図３】
2010007247.tif 000005
【図４】
2010007247.tif 000006
【図５】
2010007247.tif 000007
【図６】
2010007247.tif 000008